【事件の表示】
　平成　６年特許願第　１４５９０号「カラオケシステム」拒絶査定不服審判事件〔平成　７年　８月１８日出願公開、特開平　７−２１９５６９〕について、次のとおり審決する。
【結　論】
　本件審判の請求は、成り立たない。
【理　由】
１．手続の経緯
　本願は、平成６年２月８日の出願であって、平成１５年８月５日付で拒絶査定がなされ、これに対し、同年９月１８日に拒絶査定に対する審判請求がなされるとともに、同年１０月１７日付で手続補正がなされたものである。
　
２．本願発明
　本願発明は、平成１５年１０月１７日付の手続補正書の特許請求の範囲に記載された事項により特定されるものであるところ、特許請求の範囲の請求項１には、以下の事項が記載されている。
「曲単位の伴奏音楽データ及び歌詞データ及び選曲に使用するインデックスデータを格納した楽曲ファイルと、前記楽曲ファイルに格納された曲のインデックスデータを特定する選曲データを入力する選曲データ入力手段と、前記入力された選曲データを格納する選曲データ格納手段と、前記選曲データに対応する伴奏音楽の音程を特定する音程データを入力する音程データ入力手段と、前記入力された音程データを格納する音程データ格納手段と、取消しの指示により、前記各格納手段に格納した選曲データ及び音程データを消去する取消手段と、登録の指示により、前記各格納手段に格納した選曲データ及び音程データを登録する登録手段と、前記選曲データによって楽曲ファイルから選曲されたとき、前記選曲データに対応する音程データを前記記憶手段から読出して音程を決定し、前記伴奏音楽データを伴奏音楽とする伴奏音楽再生手段と、演奏が終了した伴奏楽曲の選曲データ及び音程データを前記登録手段から消去する消去手段と、演奏中に前記音程データ入力手段より音程変更入力がなされたとき、音程変更が可能か否か判断し、音程変更が可能なとき前記伴奏音楽再生手段の音程を変更させる手段と、を具備することを特徴とするカラオケシステム。」
　
３．引用例
　これに対し、原査定の拒絶の理由に引用された特開平４−１３１９５号公報（以下、「引用例」という。）には、図面と共に下記の記載がある。
　　　　　　　　　記
（ａ）「尚、このようなカラオケ装置の楽音情報記憶媒体に格納されるデータとして、一般にＭＩＤＩ（Musical Instrument Digital Interface）（「ＭＩＤＩ」は商標）情報を用いたものも出願されている。これは、国際的に規格化された情報で、音色、音量などを示す情報である。すなわち、この楽曲毎のＭＩＤＩ情報を読み出し、ＭＩＤＩインターフェイスを介してシンセサイザー等の楽音再生装置によって所定の伴奏音楽を再生するようにしている。
　そして、上記のようなカラオケ装置においては、多数の楽曲を同時に指定することを可能にするために、楽曲の予約機能が設けられており、通常は指定した順序が予約順とされ、順番に再生が行われている。
　また、再生される楽曲のテンポやキーは、基本的には規格化されたものであるが、歌い易さを向上させるため、個々人に対応してテンポやキーを調整することができるように、それぞれの調整機構も設けられている。」（公報第２頁左上欄１行目ないし２０行目）
（ｂ）「また、歌い手は自分の歌いやすいテンポやキーは、大体認識していることが多い。例えば、通常よりも遅いテンポであるとか、通常よりも低いキーが好ましいという程度は認識している。しかしながら、従来のカラオケ装置では、予約の段階でこのテンポ及びキーを指定することはできず、歌い始めてから、或いは歌の直前で調整しなければならず、不便であった。
　本発明は、上記課題を解決するためになされたものであり、その目的は、楽曲の再生順の予約だけでなく、各楽曲のテンポ及びキーを予約することができ、更に曲順及びテンポ及びキーの予約内容の画面表示を行うことのできるカラオケ装置を提供することにある。」
（公報第２頁右上欄１７行目ないし左下欄１０行目）
（ｃ）「第１図は、実施例の全体構成を示すブロック図であり、入力手段１０は、楽曲の指定や予約を行う操作キーを有しており、楽曲のテンポ及びキーの指定を行う個別調整手段としての操作キーも設けられている。入力手段１０には、中央制御部１２が接続されており、更に中央制御部１２には入力情報記憶部１４が接続されている。
　この入力情報記憶部１４は、楽曲記憶手段１６と調整記憶手段１８とを有している。中央制御部１２は、入力手段１０にて入力された楽曲の情報を楽曲記憶手段１６に格納し、また、各楽曲について指定されたテンポ及びキーの調整内容を調整記憶手段１８に格納するものである。
　また、中央制御部１２には、楽音情報記憶媒体２０と楽音再生装置２２が接続されている。この楽音情報記憶媒体２０は、本実施例では、多数の楽曲のＭＩＤＩ情報が格納された記憶媒体を用いている。そして、楽音再生装置２２はシンセサイザーにて構成されている。」
（公報第３頁左上欄６行目ないし右上欄４行目）
（ｄ）「尚、本実施例では、楽音情報記憶媒体２０に格納されている歌詞情報の表示も行われる。」
（公報第３頁左下欄３行目ないし４行目）
（ｅ）「第２図は、入力情報記憶部１４に予約情報を格納する段階の動作を示すフローチャートであり、まず、入力手段１０により歌いたい楽曲の番号を入力する（Ｓ１）。次に、曲のテンポを変更するか否かの選択を行う（Ｓ２）。テンポを変える場合（Ｓ２がＹｅｓ）、入力手段１０の個別調整用のキー操作を行って、テンポの調整を行い、予約の入力をする（Ｓ３）。
　そして、テンポの入力が終了するか、Ｓ２がＮｏの場合、次に、楽曲のキーを変更するか否かを選択する（Ｓ４）。変更する場合（Ｓ２がＹｅｓ）、同じく入力手段１０の個別調整用のキー操作を行って、キーの調整を行って予約の入力をする（Ｓ５）。通常、キーの調整は、上下５音階程度変更できるように構成されている。
　そして、キーの入力が終了するか、Ｓ４がＮｏの場合、入力手段１０の予約終了キーを押し、予約を完了させる（Ｓ６）。
　予約が完了すると、入力手段１０の入力バッファなどに記録されている入力情報を中央制御部１２が読み出し、予約順Ｒとして入力情報記憶部１４の楽曲記憶手段１６に楽曲番号を記録すると共に、各楽曲のテンポ及びキー情報を調整記憶手段１８に記録する（Ｓ７）。
　そして、予約順Ｒに＋１を行うことにより、次の楽曲の予約準備っを行う（Ｓ８）。以上の動作を楽曲ごとに繰り返し行うことにより、複数楽曲のテンポ及びキーを含めた予約を行うことができる。」
（公報第３頁左下欄１０行目ないし右下欄１８行目）
（ｆ）「第３図は、上記予約状況の表示の一例を示しており、画面１００には予約順に曲名が示されるとともに、各楽曲のテンポ及びキーの調整内容が示されている。この表示により、使用者は楽曲が正しく予約されているか、自分の順番は何時か、更に自分が歌い易いようにテンポ及びキーが設定されているかを予め確認することができる。
　また、楽曲の再生時には、中央制御部１２は各楽曲が指定されたテンポ及びキーにより再生されるように楽音情報記憶媒体２０及び楽音再生装置２２を制御する。従って、楽曲は最初から指定されたテンポ及びキーで伴奏されることとなり、歌い手は、歌い出しから気持ち良く歌うことができる。」
（公報第４頁左上欄７行目ないし２０行目）
　
４．対比
　そこで、本願請求項１記載の発明（以下、「本願請求項１発明」という。）と引用例記載の発明（以下、「引用例発明」という。）とを対比する。
　記載事項（ｃ）（ｄ）より、楽音情報記憶媒体２０には多数の楽曲のＭＩＤＩ情報と歌詞情報が格納されていることが認められる。また、記載事項（ａ）（ｃ）より、引用例発明は楽曲毎のＭＩＤＩ情報を読み出し、ＭＩＤＩインターフェースを介してシンセサイザー等の楽音再生装置により伴奏音楽を再生するカラオケ装置を前提としていると認められるから、楽音情報記憶媒体２０に格納されたＭＩＤＩ情報は、曲単位のデータであり伴奏音楽データである。そして、記載事項（ｅ）より、楽曲の予約を行うときは入力手段１０より歌いたい楽曲の番号を入力し楽曲の指定を行うことが明らかであるから、楽音情報記憶媒体２０には、選曲に用いる各楽曲の番号に対応したデータが含まれていることは明らかである。
　以上より、引用例発明の楽音情報記憶媒体２０は、曲単位の伴奏音楽データ及び歌詞データ及び選曲に使用するインデックスデータを格納しているといえるから、引用例発明の「楽音情報記憶媒体２０」は本願請求項１発明の「楽曲ファイル」に相当するといえ、引用例には、「曲単位の伴奏音楽データ及び歌詞データ及び選曲に使用するインデックスデータを格納した楽曲ファイル」に相当する事項が開示されているものと認められる。
　また、記載事項（ｃ）（ｅ）より、入力手段１０は楽曲の指定や予約を行う操作キーを備えており、楽典ファイルに格納された曲を特定するために楽曲の番号を入力するものであるから、引用例発明の入力手段１０は、本願請求項１発明の「選曲データ入力手段」に相当する機能を有しており、引用例には、「楽曲ファイルに格納された曲のインデックスデータを特定する選曲データを入力する選曲データ入力手段」に相当する事項が開示されているものと認められる。
　また、記載事項（ｂ）より、引用例発明のキーの調整とは音程の調整であることが明らかである。
　また、記載事項（ｅ）より、引用例発明では、歌いたい楽曲の番号を入力し、個別調整用のキー操作を行ってキーの調整を行い、入力手段１０の予約終了キーを押すと、入力バッファなどに記録されている入力情報を中央制御部１２が読み出し入力情報記憶部１４に記録するから、予約終了キーが押されるまでの入力情報は入力手段の入力バッファに格納されることになり、且つ、予約終了キーを押すことにより予約を登録するものと認められるから、入力手段の入力バッファは、入力された選曲データを格納する機能、入力された音程データを格納する機能、を有していると解される。また、予約終了キーを押すことは、入力情報の登録を指示することと同様のものと解される。よって、引用例には、本願請求項１発明の「入力された選曲データを格納する選曲データ格納手段」、「入力された音程データを格納する音程データ格納手段」、「登録の指示により、前記各格納手段に格納した選曲データ及び音程データを登録する登録手段」に相当する事項が記載されているといえる。
　また、記載事項（ｂ）（ｃ）（ｅ）より、引用例発明では入力手段１０に楽曲の音程の指定を行う個別調整手段としての操作キーが設けられており、楽曲の予約を行う際には予約の楽曲に対応する音程データを入力手段１０により入力することが記載されていると認められるから、引用例発明の入力手段１０は本願請求項１発明の「音程データ入力手段」に相当する機能をも有しており、引用例には、本願請求項１発明の「選曲データに対応する伴奏音楽の音程を特定する音程データを入力する音程データ入力手段」に相当する事項が記載されているといえる。
　また、記載事項（ｃ）（ｅ）より、入力情報記憶部１４は楽曲記憶手段１６と調整記憶手段１８とを有しており、選曲された楽曲の情報は楽曲記憶手段１６に、音程の調整内容は調整記憶手段１８に、それぞれ格納され、そして、記載事項（ｆ）により、楽曲の再生時には各楽曲が指定された音程により再生されるものであるから、選曲された楽曲に対応する音程データを調整記憶手段１８から読み出して音程を決定していることは明らかであり、引用例には、本願請求項１発明の「選曲データによって楽曲ファイルから選曲されたとき、前記選曲データに対応する音程データを前記記憶手段から読出して音程を決定し、前記伴奏音楽データを伴奏音楽とする伴奏音楽再生手段」に相当する事項が記載されているといえる。
　また、引用例発明は、記載事項（ｃ）、第１図より、入力手段、中央制御部、入力情報記憶部、楽音情報記憶媒体、楽音再生装置、マイク、アンプ、スピーカ、などを備え、「カラオケシステム」と呼ぶべきものである。
　よって、引用例発明と本願請求項１発明とでは、
「曲単位の伴奏音楽データ及び歌詞データ及び選曲に使用するインデックスデータを格納した楽曲ファイルと、前記楽曲ファイルに格納された曲のインデックスデータを特定する選曲データを入力する選曲データ入力手段と、前記入力された選曲データを格納する選曲データ格納手段と、前記選曲データに対応する伴奏音楽の音程を特定する音程データを入力する音程データ入力手段と、前記入力された音程データを格納する音程データ格納手段と、登録の指示により、前記各格納手段に格納した選曲データ及び音程データを登録する登録手段と、前記選曲データによって楽曲ファイルから選曲されたとき、前記選曲データに対応する音程データを前記記憶手段から読出して音程を決定し、前記伴奏音楽データを伴奏音楽とする伴奏音楽再生手段と、を具備することを特徴とするカラオケシステム。」
　である点で一致し、以下の各点で相違している。
（相違点１）
　本願請求項１発明が、「取消しの指示により、前記各格納手段に格納した選曲データ及び音程データを消去する取消手段」を有しているのに対して、引用例発明ではこのような事項を備えているか不明である点。
（相違点２）
　本願請求項１発明が、「演奏が終了した伴奏楽曲の選曲データ及び音程データを前記登録手段から消去する消去手段」を有しているのに対して、引用例発明ではこのような事項を備えているか不明である点。
（相違点３）
　本願請求項１発明が、「演奏中に前記音程データ入力手段より音程変更入力がなされたとき、音程変更が可能か否か判断し、音程変更が可能なとき前記伴奏音楽再生手段の音程を変更させる手段」を有しているのに対して、引用例発明ではこのような事項を備えているか不明である点。
　
５．検討
　以下、上記各相違点について検討する。
（一）相違点１について
　一般に、カラオケシステムにおいて伴奏楽曲の予約は楽曲に対応した番号等の入力により行うが、番号入力に際して使用者が誤入力をすることは当然に想定されるから、誤って入力された予約の選曲データ及びこれに付随する調整データを登録完了前に修正ないし再入力のため取り消しする手段を設けることは、当業者が格別の困難性なくなし得たことと認められる。なぜなら、例えば予約登録済みの伴奏楽曲の取消しを指示可能としたことすら、特開平５−１２７６８６号公報に示されるように周知の事項に過ぎないのであって、登録手段に登録する前の入力バッファ等の格納手段に格納されたデータを正しいデータ入力のためなどの理由により取り消しする手段を設ける程度のことであれば、上記周知例に示されるような本願出願前の技術水準を参酌すれば、当業者が容易になし得たことと認められるからである。よって、引用例発明において、「取消しの指示により、前記各格納手段に格納した選曲データ及び音程データを消去する取消手段」を付加して設けることは、当業者が容易に想到し得たことといえる。
（二）相違点２について
　記載事項（ｆ）によれば、歌い手は楽曲の再生時に指定した音程で最初から歌うことができるとされるが、この記載だけでは、当該歌い手がリクエストした楽曲の１つ前のリクエスト楽曲に係る選曲データ及び音程データを消去するのかどうか、すなわち伴奏楽曲の再生終了後に登録された伴奏楽曲の選曲データ及び音程データが登録手段ないし記憶手段から消去されるのかどうか、明らかではない。しかしながら、記載事項（ｅ）、第２図、第３図によれば、引用例発明では多数の楽曲を予約登録可能であることは明らかである。また、一般に記憶手段の記憶容量は有限であることを勘案すれば、不要となったデータは消去し以後の楽曲の予約登録のために記憶手段を利用するようになすことは当然のことと考えられる。そして、引用例発明においては演奏が終了した伴奏楽曲の選曲データ及びこれに対応した音程データを記憶手段に保持し続ける必然性はなく、且つこれらは不要なデータであると考えられるから、引用例発明においても演奏が終了した伴奏楽曲の選曲データ及び音声データを消去することは、登録手段ないし記憶手段を効率よく使用するために、当業者であれば適宜になし得た程度のことと認められる。したがって、引用例発明において、「演奏が終了した伴奏楽曲の選曲データ及び音程データを前記登録手段から消去する消去手段」を付加して設けることは、当業者が容易に想到し得たことといえる。
（三）相違点３について
　伴奏楽曲の演奏中に音程を調整することは、記載事項（ｂ）を参照すると、従来技術とされるものに過ぎない。また、カラオケの音程の調整という共通の作用効果を奏するものである。そして、引用例発明のように楽曲の予約時に音程を調整したとしても、歌い始めてから再調整する必要性が生じることも想定できるから、楽曲の予約時に音程を調整することと演奏中に音程を調整することとは、相反するものではなく両立可能である。更には、引用例発明においても、記載事項（ｅ）によれば、音程の調整は上下５段階程度変更できるようにされているのであるから、引用例発明には、上下５段階の範囲内では調整が可能で、これを超えるとき調整が不可能であると判断する手段を含むものと解される。よって、引用例発明において、従来技術とされる演奏中の音程の調整を、記載事項（ｅ）に従い可能な範囲内でなすようにすること、すなわち、引用例発明において、「演奏中に前記音程データ入力手段より音程変更入力がなされたとき、音程変更が可能か否か判断し、音程変更が可能なとき前記伴奏音楽再生手段の音程を変更させる手段」を付加して設けることは、当業者が容易に想到し得たことといえる。　
　
　そして、上記各相違点を総合しても当業者が容易に想到し得たといえ、また当業者の予測を超えた格別の効果を奏するものということができない。
　
６．結論
　よって、本願請求項１発明は、引用例に基づいて当業者が容易に発明をすることができたものであるから、他の請求項に係る発明について検討するまでもなく、特許法第２９条第２項の規定により特許を受けることができない。
　よって、結論のとおり審決する。